(57)【特許請求の範囲】
【請求項１】
床下に配置した掘ごたつ本体の外面を囲むように上面を開口せる角箱状の断熱ボックスを配置し、床の開口部の周縁で開口部内に向けて突出する係止金具を床骨組に固定し、断熱ボックスの外の側面に断熱ボックスの下端から断熱ボックスの上端の手前まで至るように上記係止金具を挿通するための凹溝を凹設し、凹溝の上端の段部に係止金具を係止して成ることを特徴とする掘ごたつの断熱構造。
【発明の詳細な説明】
【０００１】
【発明の属する技術分野】
本発明は、掘ごたつを断熱ボックスに収めて断熱性能を向上する構造に関するものである。
【０００２】
【従来の技術】
一般に、掘ごたつの掘ごたつ本体は木質材等で形成せる角箱状の本体箱内の底部にヒータを設置して形成されており、この掘ごたつ本体が床の開口部の下方に位置するように配置し、掘ごたつ本体の本体箱の上端を床の開口部の周縁で床骨組に固定している。また床上で開口部の上方にやぐらを設置し、やぐらにこたつ布団を被せるようになっている。
【０００３】
【発明が解決しようとする課題】
ところで、上記従来例にあっては、掘ごたつ本体の本体箱が木質材等で形成されているためにある程度の断熱性があるが、この構造だけでは十分に断熱性を有しているとは言えなかった。
【０００４】
十分に断熱性を持たせるためには断熱材にて角箱状に形成せる断熱ボックスにて掘ごたつ本体の本体箱の外周を覆い、断熱ボックスを床骨組に取り付けることが考えられる。ところが、この断熱ボックスを取り付ける施工を行う場合、例えば、角箱状に組み立てた断熱ボックスを床の開口部から床下に落とし込み、一人の作業者が床下に潜り込んで床下で断熱ボックスを支え、もう一人の作業者が断熱ボックスを床の開口部に取り付ける施工をしなければならなく、少なくとも二人の作業者で大掛かりな施工をしなければならなく、施工がしにくいという問題がある。
【０００５】
本発明は叙述の点に鑑みてなされたものであって、一人の作業者でも容易に断熱ボックスの取り付け施工ができる掘ごたつの断熱構造を提供するにある。
【０００６】
【課題を解決するための手段】
上記課題を解決するため本発明の掘ごたつの断熱構造は、床下１に配置した掘ごたつ本体２の外面を囲むように上面を開口せる角箱状の断熱ボックス３を配置し、床５の開口部６の周縁で開口部６内に向けて突出する係止金具１０を床骨組７に固定し、断熱ボックス３の外の側面に断熱ボックス３の下端から断熱ボックス３の上端の手前まで至るように上記係止金具１０を挿通するための凹溝１１を凹設し、凹溝１１の上端の段部１２に係止金具１０を係止して成ることを特徴とする。床上で断熱ボックス３を組み立てると共に係止金具１０を取り付けた後、凹溝１１と係止金具１０とを対応させた状態で開口部６から断熱ボックス３を落とし込み、係止金具１０に対して凹溝１１をスライドさせて係止金具１０を凹溝１１の上端の段部１２に係止することで断熱ボックス３を固定できる。このように床上で組み立てた断熱ボックス３を落とし込むだけで取り付けることができて断熱ボックス３の取り付けが床上から容易にできる。
【０００７】
【発明の実施の形態】
まず、上記従来の技術の問題を解決する図１乃至図６に示す例から述べる。床骨組７は大引７ａの上に根太７ｂを載置して形成されており、根太７ｂの上に床板２７を貼って床５を形成してある。床５には床上から床下１に連通するように矩形状の開口部６を設けてある。この開口部６の下方で床下１に埋め込むように掘ごたつ本体２が取り付けられ、掘ごたつ本体２の外周を囲むように断熱ボックス３が取り付けられる。断熱ボックス３は掘ごたつ本体２を取り付ける前に取り付けるようになっている。
【０００８】
断熱ボックス３は発泡ウレタン樹脂のように発泡合成樹脂等の断熱材にて形成されているが、必要に応じて断熱材の表面をＦＲＰ等の合成樹脂にて補強してあってもよい。角箱状の断熱ボックス３は４枚の側板４ａからなる側壁４と底部の底板８とで形成されている。側板４ａは図４に示すように矩形板状に形成されており、側板４ａの長手方向の一端には嵌合突部１３を上下方向に亙るように設けてあり、側板４ａの長手方向の他端には嵌合突部１３が嵌合し得る嵌合凹部１４を上下方向に亙るように設けてある。４枚の側板４ａを連結して側壁４を組み立てるときには嵌合突部１３と嵌合凹部１４とを追い回し式で嵌合接続するようになっている。側板４ａの下端には長手方向に亙って内方に突出する載置縁９を設けてあり、側板４ａの上部にはビス用の下孔２６を穿孔してある。底板８は図５に示すような矩形状の平板にて形成されている。底板８は本例の場合正方形であるが、長方形であってもよい。この断熱ボックス３を取り付けるにあたっては、例えば次のように行う。図６（ａ）に示すように開口部６から床下１に作業者が入った状態で側板４ａを連結して側壁４を組み立てたり、側壁４の上部を大引７ａに取り付けたりする組み立てを行う。側壁４の上部はビス用の下孔２６から挿通したビス１５等で大引７ａに止める。側壁４の取り付けを行った後に、図６（ｂ）に示すように底板８を上から落とし込んで底板８の周縁を載置縁９に載せて底板８を取り付ける。このようにすることで床上側から作業できて一人の作業者でも断熱ボックス３を組み立てることができると共に断熱ボックス３を取り付けることができる。断熱ボックス３の側壁４の内面の適所には収納凹部１６を凹設してある。
【０００９】
このように断熱ボックス３を組み立てて取り付けた後に断熱ボックス３内に納めるように掘ごたつ本体２が取り付けてられる。この掘ごたつ本体２は木質材等で形成せる角箱状の本体箱１７の底部にヒータ１８を内装して形成されている。掘ごたつ本体２内のヒータ１８の上方には簀の子部１９を設けてあり、本体箱１７の上端には枠框２０を周方向に亙るように取り付けてある。本体箱１７の上部にはコンセントボックス２１を装着してあり、このコンセントボックス２１に電源を供給することができるようになっている。ヒータ１８に給電する給電線２２はコンセントボックス２１に接続してあり、またヒータ１８をコントロールするコントロール線２３も本体箱１７に配線してある。また本体箱１７の外面には断熱シート２４を被着してある。この断熱シート２４は例えば多数の気泡を有するシートにアルミニウム箔を貼って形成されている。掘ごたつ本体２は開口部６から落とし込むように取り付けるのであるが、掘ごたつ本体２を落とし込むことで枠框２０を大引７ａの内周の角材２４に載置して取り付けられる。このように掘ごたつ本体２を取り付けた後、枠框２０の上にはやぐら２５を載置して取り付けられる。掘ごたつを使用しないシーズンではやぐらが取り外され、開口部６が床５面と面一になるように閉塞されるようになっている。
【００１０】
上記の例の場合、底板８のない状態で開口部６から作業者が入り、側壁４の組み立てや側壁４の取り付けを行った後、床上から側壁４内に底板８を落とし込み、底板８の周縁を載置縁９に載せるように底板８を載設することで断熱ボックス３を組み立てると共に断熱ボックス３を取り付けることができるものであって、一人の作業者でも床上から断熱ボックス３の取り付け施工ができて断熱ボックス３の取り付け施工が容易にできるが、作業者が開口部６から床下に入り込んで作業をする必要がある。
【００１１】
この問題も解決するのが図７、図８に示す本発明の実施の形態の例であり、以下この例について述べる。本例の場合、断熱ボックス３を床上で組み立ててから落とし込んで取り付けるものである。断熱ボックス３の側壁４の外面には断熱ボックス３の下端から上端手前まで至るように複数の凹溝１１を凹設してあり、凹溝１１の上端に段部１２を設けてある。そして断熱ボックス３を取り付けるにあたっては、図８（ａ）に示すように開口部６の内周で根太７ｂに略Ｌ字状の係止金具１０を取り付け、断熱ボックス３を開口部６に位置させて係止金具１０と凹溝１１とを対応させ、この状態から断熱ボックス３を落とし込むことで係止金具１０に対して凹溝１１をスライドさせ、係止金具１０を段部１２に係止させて断熱ボックス３を固定する。係止金具１０への段部１２の係止にて断熱ボックス３を仮固定した後、断熱ボックス３をビス等で床骨組７に本固定する。
【００１２】
なお、本発明では床下に埋設する掘ごたつについて述べたが、この構造は床下収納庫でも同様に実施することができる。
【００１３】
【発明の効果】
本発明は、床下に配置した掘ごたつ本体の外面を囲むように上面を開口せる角箱状の断熱ボックスを配置し、床の開口部の周縁で開口部内に向けて突出する係止金具を床骨組に固定し、断熱ボックスの外の側面に断熱ボックスの下端から断熱ボックスの上端の手前まで至るように上記係止金具を挿通するための凹溝を凹設し、凹溝の上端の段部に係止金具を係止しているので、床上で断熱ボックスを組み立てると共に係止金具を取り付けた後、凹溝と係止金具とを対応させた状態で開口部から断熱ボックスを落とし込み、係止金具に対して凹溝をスライドさせて係止金具を凹溝の上端の段部に係止することで断熱ボックスを固定できるものであって、床上で組み立てた断熱ボックスを落とし込むだけで取り付けることができて一人の作業者でも断熱ボックスの取り付けが床上から容易にできるものである。
【図面の簡単な説明】
【図１】従来技術の問題を解決するものの一例の一部省略断面図である。
【図２】同上のコンセントボックス部を拡大せる断面図である。
【図３】（ａ）は同上の断熱ボックスを取り付けた状態の斜視図、（ｂ）は断熱ボックスの斜視図である。
【図４】同上の断熱ボックスの側板を示し、（ａ）は平面図、（ｂ）は正面図、（ｃ）は側面図である。
【図５】同上の底板を示し、（ａ）は平面図、（ｂ）は正面図、（ｃ）は側面図である。
【図６】（ａ）（ｂ）は同上の断熱ボックスの取り付け施工を説明する説明図である。
【図７】本発明の実施の形態の一例の断熱ボックスを示す斜視図である。
【図８】（ａ）（ｂ）は同上の断熱ボックスの取り付けを説明する説明図である。
【符号の説明】
１  床下
２  掘ごたつ本体
３  断熱ボックス
６  開口部
７  床骨組
１０  係止金具
１１  凹溝
１２  段部
【図１】
0003574890.tif 000002
【図２】
0003574890.tif 000003
【図３】
0003574890.tif 000004
【図４】
0003574890.tif 000005
【図５】
0003574890.tif 000006
【図６】
0003574890.tif 000007
【図７】
0003574890.tif 000008
【図８】
0003574890.tif 000009